(57)【要約】【課題】手摺を一旦、壁面へ取り付けた後も手摺の高さを調節可能にする装置であって、高さ調節後の見栄えを悪くせず、高さ調節も簡単に行えるようにする。更に取付高さ固定式として多種が存在する一般市販の手摺であっても、取付高さの調節ができるようにする。【解決手段】上下動の案内に用いるガイドレール１０と、このガイドレール１０に沿って移動自在に保持されるスライダー１１と、ガイドレール１０に対して任意の高さ位置で位置決め固定する位置決め手段１２とを有しており、上記スライダー１１の正面が、手摺バー３を壁面に対して固定する壁面取付具５用の取付面１１ａとして形成されている。【選択図】図１
2007332640.tif 000002
【特許請求の範囲】
【請求項１】
上下動の案内に用いるガイドレール（１０）と、このガイドレール（１０）に沿って移動自在に嵌合保持されるスライダー（１１）と、ガイドレール（１０）に対してスライダー（１１）を任意の高さ位置で位置決め固定するための位置決め手段（１２）とを有しており、上記スライダー（１１）の正面が、手摺バー（３）を壁面に固定する壁面取付具（５）用の取付面（１１ａ）として形成されていることを特徴とする手摺取付装置。
【請求項２】
前記スライダー（１１）の取付面（１１ａ）には、複数製造メーカーの壁面取付具（５）との連結を可能とする複数の連結用孔が設けられていることを特徴とする請求項１記載の手摺取付装置。
【請求項３】
前記スライダー（１１）の取付面（１１ａ）には複数製造メーカーの壁面取付具（５）の連結用孔の孔配置に個別に対応させた複数種のものが準備されており、いずれのスライダー（１１）もガイドレール（１０）及び位置決め手段（１２）との組合せが共通化されていることを特徴とする請求項１記載の手摺取付装置。
【請求項４】
前記スライダー（１１）の取付面（１１ａ）が盲板とされており、任意位置に対してタッピングネジの螺合が可能とされていることを特徴とする請求項１記載の手摺取付装置。
【請求項５】
前記位置決め手段（１２）は、ロック状態とアンロック状態とに操作可能な操作レバー（３２）と、この操作レバー（３２）をロック状態に操作したときにはスライダー（１１）をガイドレール（１０）に圧接しアンロック状態に操作したときにはガイドレール（１０）に対するスライダー（１１）の圧接を解除するロックカム（３３）とを有しており、このロックカム（３３）は、ガイドレール（１０）の上下方向に適宜の間隔で設けられた複数個の位置決め孔（３６）（２８ａ）のうちの１つに差し換えて挿通係止可能としてあることを特徴とする請求項１乃至請求項４のいずれかに記載の手摺取付装置。
【発明の詳細な説明】
【技術分野】
【０００１】
本発明は、玄関、トイレ、浴室などへの手摺の取り付けに好適に使用できる手摺取付装置に関するものである。
【背景技術】
【０００２】
近時、高齢者や障害者の人口が増加する傾向にあり、介護施設の不足などのため高齢者等の自宅における事故防止や安全性向上などを支援するため、政府や地方公共団体などが手摺の設置費用や段差解消（バリヤフリー）工事費用を助成する制度が普及しつつある。
しかし、この助成制度は、高齢者等の一人一人について、一生涯に一度だけ受けることができるだけであって、ますます長寿化する高齢者社会にあっては、一旦取り付けた手摺の高さが合わなくなり、高さ調整を行う場合には、その費用の助成を受けることができない。
【０００３】
このような点に着目して、壁面へ一旦取り付けた後に、使用者側の高齢化に伴う腰の曲がりといったような様々な状況変化に応じて高さ調節できるようにした手摺が提案されている（特許文献１等参照）。この公知の手摺は、壁面へ不動な状態に取り付ける固定部と、この固定部を全体として覆うように上下方向に長いケース形に形成された移動部とを有し、固定部に対して移動部が上下動自在とされ、この移動部に手摺バーの端部が連結される構造であった。
【特許文献１】実用新案登録第３０２６０６８号公報
【発明の開示】
【発明が解決しようとする課題】
【０００４】
上記提案のものの場合、手摺の高さ調節はそもそも日常的に行うものではないので、壁面には日焼けや色あせ、汚れなどによってできた移動部の輪郭が、明確な痕跡として残っている。そのため、この移動部を移動させたときに、壁面のこの痕跡が現れることとなって見栄えを著しく悪化させるという欠点があった。
ところで、上記したような高さ調節可能な構造は持たない、取付高さ固定式の一般市販の手摺においては、製造メーカーが複数社あり、各製造メーカーごとに、また同じメーカーでも種々様々なタイプやデザインが存在することから、壁面への取付構造（壁面へ木ねじ等をねじ込む孔数や孔位置）の異なるものが多種存在している。
【０００５】
本発明は、上記事情に鑑みてなされたものであって、一旦、壁面へ取り付けた後の手摺の高さを調節することが可能であって、高さ調節後の見栄えが悪くならず、また高さ調節が簡単に行えるようにした手摺取付装置を提供することを目的とする。
また本発明は、取付高さ固定式として多種が存在する一般市販の手摺を用いて取付高さの調節ができるようにした手摺取付装置を提供することを目的とする。
【課題を解決するための手段】
【０００６】
前記目的を達成するために、本発明は次の手段を講じた。
即ち、本発明に係る手摺取付装置は、上下動の案内に用いるガイドレールと、このガイドレールに沿って移動自在に嵌合保持されるスライダーと、ガイドレールに対してスライダーを任意の高さ位置で位置決め固定するための位置決め手段とを有しており、上記スライダーの正面が、手摺バーを壁面に固定する壁面取付具用の取付面として形成されている。
このような構成であるため、最初の手摺取付工事において、ガイドレールをその長手方向が上下を向くようにして壁面に固定し、このガイドレールに対してスライダーを保持させ、このスライダーに手摺バーを壁面に固定するための壁面取付具を取り付けておけば、その後、手摺の高さ調整が必要となったときには、ガイドレールに沿ってスライダーを移動させることで壁面取付具（即ち、手摺バー）の高さ調節が簡単安価に実施することができる。ここでスライダーを移動させてもガイドレールを移動させる訳ではないので壁面において日焼けや色あせ、汚れなどの痕跡を露出させるものではない。従って、見栄えが悪くなるということはない。
【０００７】
また、前記スライダーに対して手摺の壁面取付具を取り付ける構造としたことによって、取付高さ固定式として多種が存在する一般市販の手摺をそのまま使用して高さ調節が可能な手摺に変更することができる。
この場合、前記スライダーの取付面には、複数製造メーカーの壁面取付具との連結を可能とする連結用孔を設けておけば、取付高さ固定式の一般市販の手摺として、各製造メーカーの種々様々なタイプ、デザインが存在したとしても、それらに対する取付上の汎用性を持たせることができる。
【０００８】
なお、スライダーとして、複数製造メーカーの壁面取付具の連結用孔の孔配置に個別に対応させた複数種のものを準備しておいてもよい。この場合、いずれのスライダーもガイドレール及び位置決め手段との組合せを共通化する。このようにすることで、選択使用する各製造メーカーの手摺の壁面取付具のタイプに応じて、対応するスライダーを選択使用すればよいことになる。
また、本発明は、前記スライダーの取付面を盲板とし、任意位置に対してタッピングネジの螺合を可能としてもよい。
【０００９】
このようにすれば、選択使用する各製造メーカーの手摺の壁面取付具のタイプがどのようなものでも、取付現場にて最適な位置へタッピングネジを螺合させればよいことになり、汎用性は益々高くなる。
また、本発明における前記位置決め手段は、ロック状態とアンロック状態とに操作可能な操作レバーと、この操作レバーをロック状態に操作したときにはスライダーをガイドレールに圧接しアンロック状態に操作したときにはガイドレールに対するスライダーの圧接を解除するロックカムとを有しており、このロックカムは、ガイドレールの上下方向に適宜の間隔で設けられた複数個の位置決め孔のうちの１つに差し換えて挿通係止可能としてある。
【００１０】
このようにすると、手摺バーの高さ調整時、ロックカムの操作レバーを回動操作するだけでよく、ねじ回し（ドライバー）等の工具を用いなくてもガイドレールに対するスライダーの移動や位置決めができるので、手摺バーの高さ調節が簡単となり、一人暮らしの高齢者や介護者などでも簡単に手摺バーの高さ調節ができ、高額の手摺の付け替え工事費用を必要とせず好適である。
【発明の効果】
【００１１】
本発明に係る手摺取付装置であれば、一旦、壁面へ取り付けた後の手摺の高さを調節することが可能であって、高さ調節後の見栄えも悪くならない。また高さ調節が簡単に行える。そのうえ、取付高さ固定式として多種が存在する一般市販の手摺であっても、取付高さの調節ができるようになる。
【発明を実施するための最良の形態】
【００１２】
以下、本発明の実施の形態を、図面に基づき説明する。
［第１実施形態］
図１乃至図３は本発明に係る手摺取付装置１の第１実施形態を示したもので、取付高さ固定式の一般市販の（高さ調節構造を持たない）手摺２を壁面に取り付けるのに用いられる。
なお、この手摺２は、手摺バー３の両端部を含む長手方向複数箇所に支持ステー４を具備した壁面取付具５が設けられており、従来であれば、この壁面取付具５に取付孔に木ねじ等の連結具６を差し込んで直接的に壁面へ取り付けるようにするが、本発明では、これら各壁面取付具５を以下に説明する手摺取付装置１を介して取り付けるようにするものである。
【００１３】
本発明に係る手摺取付装置１は、図２及び図３に示すように、ガイドレール１０とスライダー１１と位置決め手段１２とで構成されている。
ガイドレール１０は、長手方向が上下を向くようにして壁面に固定され、その上でスライダー１０の上下方向への移動を案内させるために用いられる。本第１実施形態のガイドレール１０は、アルミ合金やスチール等の各種金属材をはじめ樹脂材等を形成素材とする断面Ｃ型の条材（チャンネル材）を素材としており、正面にレール溝１０ａが形成されている。
【００１４】
ガイドレール１０の背板部分１０ｂには、壁面への取り付け時に木ねじ等を差し込むための取付孔１５が設けられている。この取付孔１５は、壁面中に埋設されている胴縁に対してうまく位置合わせできるように、上下方向の長孔として且つ上下方向に複数（例えば、胴縁の設置間隔に対応させた間隔で）設けられている。
なお、このガイドレール１０には、スライダー１１が落下するのを防止するための抜止部材１６が取り付けられている。本第１実施形態においてガイドレール１０は断面Ｃ型としたので、この抜止部材１６はガイドレール１０のレール内にガタツキ無く嵌る栓様のものとして、これを接着、ネジ止め、圧入、溶接等の適宜方法で固定するものを示した。また、本来、この抜止部材１６はガイドレール１０の下端側にだけ取り付ければよいが、ガイドレール１０の使用上（壁面への固定）、上下向きを生じさせないようにし、また塵埃侵入防止用とするために両端部に設けてある。
【００１５】
スライダー１１は、ガイドレール１０に沿って移動自在に嵌合保持されるものであって、その正面が、手摺２の壁面取付具５の取付面１１ａとされている。本第１実施形態のスライダー１１は、内嵌部材２０と外嵌部材２１とを有しており、これら両部材２０，２１が連結ボルト２２とこの連結ボルト２２に螺合するナット２３とによって連結されている。
内嵌部材２０は、平板状とされ、ガイドレール１０のレール溝内にガタツキ無く挿通された状態で且つレール溝方向に移動自在な大きさ及び形状とされている。この内嵌部材２０に対して連結ボルト２２を貫通させるボルト通孔２０ａが設けられており、内嵌部材２０の裏面に対してボルト通孔２０ａに合致する配置でナット２３が回り止め固定（接着等するのが好適）されている。
【００１６】
外嵌部材２１は、横断面コ字形とされ、ガイドレール１０の正面に対してガタツキ無く抱きつく状態で外嵌され且つレール溝方向に移動自在となっている。この外嵌部材２１の正面が、スライダー１１の取付面１１ａを形成している。そのため、この外嵌部材２１は、手摺２の壁面取付具５と同等以上の大きさに形成されている。
また、外嵌部材２１は例えばアルミ合金などの金属、或いは、木材や樹脂等により形成し、取付面１１ａとされる正面板部分を所定厚の盲板としておき、この取付面１１ａの任意位置に手摺２の壁面取付具５をタッピングネジによって螺合固着して取り付けるようにしてもよい。この場合、上記手摺２の壁面取付具５のタッピングネジによる取り付けは、スライダー１１の取付面１１ａに最初の手摺取り付け工事において、動力工具を利用して取り付ければよい。
【００１７】
位置決め手段１２は、スライダー１１をガイドレール１０の所望の高さ位置で位置決め固定するためのものである。本第１実施形態では、第一位置決め手段１２Ａと第二位置決め手段１２Ｂとを有している。
第一位置決め手段１２Ａは、スライダー１１を構成する内嵌部材２０と外嵌部材２１とを連結する連結ボルト２２とナット２３との組合せによって構成されている。すなわち、この連結ボルト２２とナット２３との螺合を増すように締め込んでゆくと、内嵌部材２０と外嵌部材２１とが相互接近し、これらの間でガイドレール１０の前面側のフランジ部１０ｃ、１０ｃを内外から挟持させて固定する構成としてある。
【００１８】
第二位置決め手段１２Ｂは、スライダー１１の両側板１１ｂ、１１ｂのネジ挿通孔２６とガイドレール１０の両側板１０ｄ、１０ｄの位置決め孔２８とにネジ２７を螺合することによって、スライダー１１をガイドレール１０に確実に位置決め固定する構成としてある。ガイドレール１０の位置決め孔２８は、ガイドレール１０の両側板１０ｄ、１０ｄに高さ方向に所定間隔で設けられている。上記ネジ挿通孔２６と位置決め孔２８とは、何れか一方或いは双方をネジ孔としておけばよい。
このような構成を具備する本発明の手摺取付装置１では、最初の工事でガイドレール１０をその長手方向が上下を向くようにして壁面に固定する。この場合、壁面の胴縁の高さ位置に合わせてガイドレール１０の適宜の高さ位置の取付孔１５を利用してネジ止めすることにより、ガイドレール１０を壁面に固定する。そして、このガイドレール１０に対してスライダー１１を位置決め手段１２（第一位置決め手段１２Ａ及び第二位置決め手段１２Ｂ）により所望の高さ位置で位置決め固定する。その後、前記スライダー１１に手摺バー３の壁面取付具５をネジ止めして取り付ける。
【００１９】
この場合、手摺２の高さを調節するには、位置決め手段１２（第一位置決め手段１２Ａ及び第二位置決め手段１２Ｂ）を操作して緩め、ガイドレール１０に沿ってスライダー１１を上下方向に移動させて手摺２（手摺バー３）を所望の高さに調節し、その後、位置決め手段１２（第一位置決め手段１２Ａ及び第二位置決め手段１２Ｂ）を操作して締め付けることで手摺２の高さを所望高さに調節することができる。
このようにスライダー１１を移動させても、このスライダー１１はガイドレール１０に沿って移動するだけであるから壁面において日焼けや色あせ、汚れなどの痕跡が露出することはない。従って、見栄えが悪くなることはない。
［第２実施形態］
図４は、本発明に係る手摺取付装置１の第２実施形態を示している。この第２実施形態が上記した第１実施形態の手摺取付装置１と最も異なるところは、スライダー１１の内嵌部材２０に対し、ボルト通孔２０ａの代わりに直接、雌ねじ２０ｂが設けられている点にある。すなわち、この雌ねじ２０ｂに対して直接に連結ボルト２２を螺合させることができるようになっている。他の構成は、第１実施態様と同一である。
［第３実施形態］
図５乃至図８は、本発明に係る手摺取付装置１の第３実施形態を示している。この第３実施形態は、操作レバー３２とロックカム３３とで位置決め手段１２を構成している。
【００２０】
上記ロックカム３３は、図５に示すように、ガイドレール１０の両側板１０ｄ、１０ｄを左右方向に貫通する軸形体とされ、一端に操作レバー３２がＬ字状に突設されている。
ロックカム３３は、図５、図８に示すように、断面形状が楕円形に形成されており、軸方向両端には円形の回動軸３５、３５が形成されている。この軸方向両端の回動軸３５、３５は、図７に示すように、ロックカム３３の断面楕円形の短軸側寸法を直径として一連に形成されており、スライダー１１の横孔２６ａとガイドレール１０の位置決め孔２８ａとを貫通して両持ち状態で回動可能に支持されている。
【００２１】
スライダー１１の横孔２６ａは、スライダー１１の両側板１１ｂ、１１ｂに左右対向して形成されており、その孔形状は、ロックカム３３の楕円形よりもやや大きくされ、これによって、ロックカム３３を左右方向に抜き差し可能で回動自在に支持している。
ガイドレール１０の位置決め孔２８ａは、ガイドレール１０の両側板１０ｄ、１０ｄに左右対向して形成されており、その形状は、ロックカム３３の楕円形よりもやや大きくされ、これによって、ロックカム３３を左右方向に抜き差し可能で回動自在に支持している。
【００２２】
上記位置決め孔２８ａは、ガイドレール１０の上下方向に沿って適宜間隔で複数個設置されている。
また、上記位置決め孔２８ａは、楕円形とされ、その楕円の長軸を上下方向とされ、楕円の短軸を孔幅方向とされ、この孔幅をロックカム３３の断面楕円形の短軸側寸法よりやや大きく形成されており、ロックカム３３を抜き差しするときには、互いにその楕円の長軸方向を一致させて行われ、不一致の状態では、抜き差し不能、即ち、抜け止めが行われるように構成されている。
【００２３】
スライダー１１は、ガイドレール１０に対して上下方向に摺動自在に外嵌された横断面コ字形の外嵌部材２１とガイドレール１０のレール溝１０ａ内で上下方向に摺動自在に内嵌された内嵌部材２０とで構成され、これらが上下の連結杆１８，１９で一体に連結されている。この上下の連結杆１８，１９は、横断面Ｃ型のガイドレール１０の前面側の両側のフランジ部１０ｃ、１０ｃの間の上下方向全長に亘るスリット状隙間からレール溝１０ａの内外に貫通して配置されており、これによって、内嵌部材２０と外嵌部材２１とが一体となってガイドレール１０に沿って上下方向に摺動自在に嵌合されている。
【００２４】
前記位置決め手段１２のロックカム３３は、スライダー１１の横孔２６ａ及びガイドレール１０の任意高さ位置の位置決め孔２８ａを貫通して挿入される。ロックカム３３の挿入状態においては、ロックカム３３は、スライダー１１の外嵌部材２１と内嵌部材２０との前後方向の中間に挿入され、また、上下の連結杆１８，１９の上下方向の中間に挿入されている。
ロックカム３３は、図８（Ａ）に示す状態において、９０度回動させることにより、楕円の長軸方向が垂直状態（アンロック状態）から水平状態（ロック状態）に変更され、スライダー１１の内嵌部材２０をガイドレール１０の背板部分１０ｂに圧接してスライダー１１をガイドレール１０に対して位置決め固定する。この場合、スライダー１１の外嵌部材２１も、ガイドレール１０の前面のフランジ部１０ｃ、１０ｃに圧接させるのが好ましいが、このように圧接させることは必須ではない。
【００２５】
なお、内嵌部材２０の背面には、図８（Ｂ）に示すように、ゴム等の摩擦抵抗増大部材２０ａを固着したり、図８（Ｃ）に示すように、ローレット加工などの鋸歯状凹凸面や粗荒面などの高摩擦面２０ｂとしておくのが好ましい。
本第３実施形態は、第１・第２実施形態のネジの代わりに、操作レバー３２付きのロックカム３３を用いてドライバーなどの工具を用いることなくガイドレール１０に対するスライダー１１の高さ位置を変更調節可能としたものである。
即ち、本発明の第３実施形態は、手摺バー３の高さ調整時、ロックカム３３を操作レバー３２によりロック状態からアンロック状態に回動操作してスライダー１１の横孔２６ａ及びガイドレール１０の位置決め孔２８ａから、一旦、抜き取り、スライダー１１をガイドレール１０に沿って移動させ、所望の高さ位置に最も近い位置決め孔２８ａにスライダー１１の横孔２６ａを合わせてロックカム３３を差し込み、操作レバー３２を９０度回動させてロックカム３３をアンロック状態からロック状態に変更し、スライダー１１の内嵌部材２０をガイドレール１０の背板部分１０ｂに圧接させる。
【００２６】
このように本発明の第３実施形態は、ドライバーなどの工具を用いることなく、ロックカム３３の操作レバーを回動操作するだけで、壁面に取り付けられているガイドレール１０に対して、スライダー１１を所望の高さ位置に位置決め固定することができ、このスライダー１１に取り付けられた手摺バー３の壁面取付具５の高さ位置を所望の位置に変更調節することができる。
［その他］
本発明は、上記した各実施形態に限定されるものではなく、実施の形態に応じて適宜変更可能である。
【００２７】
例えば、スライダー１１の取付面１１ａには、複数種の壁面取付具５との連結を可能とする連結用孔（雌ねじやタッピングネジ用の下孔等）を設けておけばよい。このようにすれば、取付高さ固定式の一般的な手摺２として、種々様々な製造メーカー、タイプ、デザインが存在したとしても、それらに対する取付上の汎用性を持たせることができる。
スライダー１１として、連結用孔（雌ねじやタッピングネジ用の下孔等）の孔配置を異ならせた複数種のものを準備しておいてもよい。この場合、いずれのスライダー１１もガイドレール１０及び位置決め手段１２との組合せを共通化する。このようにすることで、使用する手摺２に応じて、対応するスライダー１１を選択すればよいことになる。
【図面の簡単な説明】
【００２８】
【図１】本発明に係る手摺取付装置の第１実施形態を用いて手摺を壁面へ取り付けた状況を示した斜視図である。
【図２】第１実施形態の手摺取付装置を分解して示した斜視図である。
【図３】図１のＡ−Ａ線拡大断面図である。
【図４】本発明に係る手摺取付装置の第２実施形態を図３と比較し易く描いた平面断面図である。
【図５】本発明に係る手摺取付装置の第３実施形態の斜視図である。
【図６】図５の分解斜視図である。
【図７】図５の第３実施形態の要部横断平面図である。
【図８】（Ａ）は図７のＢ−Ｂ線断面図、（Ｂ）（Ｃ）は（Ａ）の変形例図である。
【符号の説明】
【００２９】
１  手摺取付装置
３  手摺バー
５  壁面取付具
１０  ガイドレール
１１  スライダー
１１ａ  取付面
１２  位置決め手段
３２  操作レバー
３３  ロックカム
【図１】
2007332640.tif 000003
【図２】
2007332640.tif 000004
【図３】
2007332640.tif 000005
【図４】
2007332640.tif 000006
【図５】
2007332640.tif 000007
【図６】
2007332640.tif 000008
【図７】
2007332640.tif 000009
【図８】
2007332640.tif 000010